(57)【特許請求の範囲】
【請求項１】
通信の方法であって、前記方法は、ユーザ機器（ＵＥ）が実行し、前記方法は、
前記ＵＥとの任意の現存のアクセスリンクに関連付けられた情報、前記ＵＥの閾値近接内にある任意の現存のアクセスリンクに関連付けられた情報、または任意の他のＵＥアップリンク（ＵＬ）干渉のうちの少なくとも１つに基づいて、前記ＵＥが候補ＵＥとリレーリンクを確立することができると決定することと、
前記候補ＵＥによってサポートされる現存のアクセスリンクと、前記候補ＵＥがサポートすることができるアクセスリンクの総数を示す情報、あるいは、前記ＵＥの閾値範囲内にある非候補ＵＥによってサポートされる１つまたは複数の現存のアクセスリンクが、干渉を引き起こす追加のアクセスリンクを許容することができるかどうかを示すブロードキャスト情報のうちの少なくとも１つに基づいて、前記候補ＵＥが前記リレーリンクをサポートすることができると決定することと、
前記決定に基づいて、前記候補ＵＥとの前記リレーリンクのためのリンク確立プロセスを行うことと
を備える方法。
【請求項２】
１つまたは複数の候補ＵＥのリストをｅノードＢから受信することをさらに備える、
請求項１に記載の方法。
【請求項３】
１つまたは複数の候補ＵＥを検出するために測定を行うことをさらに備える、
請求項１に記載の方法。
【請求項４】
前記リレーリンクは、ＵＬリレーリンク、ダウンリンク（ＤＬ）リレーリンク、またはＵＬおよびＤＬリレーリンク、のうちの少なくとも１つを備える、
請求項１に記載の方法。
【請求項５】
前記ＵＥとの任意の現存のアクセスリンクに関連付けられた前記情報は、前記ＵＥがサポートすることができるアクセスリンクの総数と、前記ＵＥによって現在サポートされているアクセスリンクの数とを備える、
請求項１に記載の方法。
【請求項６】
前記ＵＥがサポートすることができるアクセスリンクの前記総数と、前記ＵＥによって現在サポートされているアクセスリンクの前記数とをブロードキャストすることをさらに備える、
請求項５に記載の方法。
【請求項７】
前記ＵＥが、前記候補ＵＥと前記リレーリンクを確立することができると決定することは、任意の他のＵＥアップリンク（ＵＬ）干渉の前記リレーリンクに対する潜在的なインパクトを示す情報にさらに基づき、前記他のＵＥ ＵＬ干渉は、平均受信干渉電力値を備える、
請求項１に記載の方法。
【請求項８】
前記候補ＵＥが前記リレーリンクをサポートすることができるかどうかを決定するために評価を行うよう前記候補ＵＥに促すメッセージを送信することをさらに備える、
請求項１に記載の方法。
【請求項９】
前記リンク確立プロセスを前記行うことは、
前記候補ＵＥが前記リレーリンクをサポートすることができることを示すインジケーションを前記候補ＵＥから受信することを備える、
請求項８に記載の方法。
【請求項１０】
前記ＵＥが前記リレーリンクをサポートすることができるかどうかを決定するために評価を行うよう前記ＵＥに促すメッセージを前記候補ＵＥから受信することをさらに備える、
請求項１に記載の方法。
【請求項１１】
現存のアクセスリンクは、前記ＵＥの前記閾値近接内にある第３のＵＥと第４のＵＥとの間に存在し、前記ＵＥの前記閾値近接内にある非候補ＵＥによってサポートされる１つまたは複数の現存のアクセスリンクが、干渉を引き起こす追加のアクセスリンクを許容することができるかどうかを示す前記情報は、
前記第３のＵＥおよび前記第４のＵＥの前記閾値近接内にある許可されることができる追加のアクセスリンクの数を示す値、または
前記第３のＵＥおよび前記第４のＵＥの前記閾値近接内にあるさらなるアクセスリンクがサポートされることができるかどうかを示す値
のうちの少なくとも１つを備える、
請求項１に記載の方法。
【請求項１２】
前記ＵＥはエッジＵＥであり、前記候補ＵＥはリレーＵＥであり、前記エッジＵＥは、前記リレーＵＥを通じてｅノードＢからサービスを受信する、
請求項１に記載の方法。
【請求項１３】
前記ＵＥはリレーＵＥであり、前記候補ＵＥはエッジＵＥであり、前記エッジＵＥは、前記リレーＵＥを通じてｅノードＢからサービスを受信する、
請求項１に記載の方法。
【請求項１４】
通信のためのユーザ機器（ＵＥ）であって、
前記ＵＥとの任意の現存のアクセスリンクに関連付けられた情報、前記ＵＥの閾値近接内にある任意の現存のアクセスリンクに関連付けられた情報、あるいは、任意の他のＵＥアップリンク（ＵＬ）干渉のうちの少なくとも１つに基づいて、前記ＵＥが候補ＵＥとリレーリンクを確立することができると決定するための手段と、
前記候補ＵＥによってサポートされる現存のアクセスリンクと、前記候補ＵＥがサポートすることができるアクセスリンクの総数を示す情報、あるいは、前記ＵＥの閾値範囲内にある非候補ＵＥによってサポートされる１つまたは複数の現存のアクセスリンクが、干渉を引き起こす追加のアクセスリンクを許容することができるかどうかを示すブロードキャスト情報のうちの少なくとも１つに基づいて、前記候補ＵＥが前記リレーリンクをサポートすることができると決定するための手段と、
前記決定に基づいて、前記候補ＵＥとの前記リレーリンクのためのリンク確立プロセスを行うための手段と
を備えるＵＥ。
【請求項１５】
ユーザ機器（ＵＥ）内の少なくとも１つのプロセッサによって実行可能なコードを備えるコンピュータプログラムであって、
前記コードは、
前記ＵＥとの任意の現存のアクセスリンクに関連付けられた情報、前記ＵＥの閾値近接内にある任意の現存のアクセスリンクに関連付けられた情報、あるいは、任意の他のＵＥアップリンク（ＵＬ）干渉のうちの少なくとも１つに基づいて、前記ＵＥが候補ＵＥとリレーリンクを確立することができると決定することと、
前記候補ＵＥによってサポートされる現存のアクセスリンクと、前記候補ＵＥがサポートすることができるアクセスリンクの総数を示す情報、あるいは、前記ＵＥの閾値範囲内にある非候補ＵＥによってサポートされる１つまたは複数の現存のアクセスリンクが、干渉を引き起こす追加のアクセスリンクを許容することができるかどうかを示すブロードキャスト情報のうちの少なくとも１つに基づいて、前記候補ＵＥが前記リレーリンクをサポートすることができると決定することと、
前記決定に基づいて、前記候補ＵＥとの前記リレーリンクのためのリンク確立プロセスを行うことと
を行うためのコードを備える、
コンピュータプログラム。
【発明の詳細な説明】
【関連出願への相互参照】
【０００１】
[0001]  本願は、参照により全体が本明細書に明確に組み込まれる、２０１３年５月２日に出願された「METHOD AND APPARATUS FOR DEVICE TO DEVICE RELAY SELECTION」と題する米国特許非仮出願第１３／８７５，６７７号の優先権を主張する。
【技術分野】
【０００２】
[0002]  本開示は一般に通信システムに関し、より具体的には、ロングタームエボリューション（ＬＴＥ）ベースのアクセスネットワークにおけるデバイス・ツー・デバイス（Ｄ２Ｄ）リレーリンク選択および確立に関する。
【背景技術】
【０００３】
[0003]  ワイヤレス通信システムは、電話通信、ビデオ、データ、メッセージング、およびブロードキャストといった様々な電気通信サービスを提供するために広く展開されている。典型的なワイヤレス通信システムは、利用可能なシステムリソース（例えば、帯域幅、伝送電力）を共有することによって複数のユーザとの通信をサポートすることが可能な多元接続技術を用いうる。このような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
[0004]  これらの多元接続技術は、異なるワイヤレスデバイスが都市、国家、地域、さらには地球規模で通信することを可能にする共通プロトコルを提供するために、様々な電気通信規格に採用されている。電気通信規格の一例はＬＴＥである。ＬＴＥは、第３世代パートナーシッププロジェクト（３ＧＰＰ）によって公表されたユニバーサルモバイル電気通信システム（ＵＭＴＳ）モバイル規格の拡張のセットである。ＬＴＥは、スペクトル効率を改善すること、コストを下げること、サービスを改善すること、新たなスペクトルを利用すること、およびダウンリンク（ＤＬ）上ではＯＦＤＭＡを使用し、アップリンク（ＵＬ）上ではＳＣ−ＦＤＭＡを使用する他のオープン規格および多入力多出力（ＭＩＭＯ）アンテナ技術とより良く統合することによって、モバイルブロードバンドインターネットアクセスをより良くサポートするように設計される。ＬＴＥは、ダイレクトなデバイス・ツー・デバイス（ピア・ツー・ピア）通信をサポートしうる。
【０００５】
[0005]  Ｄ２Ｄ通信に対する需要が高まるにつれ、ＬＴＥ内での様々なＤ２Ｄ通信構成をサポートするための方法／装置に対する必要性が存在する。
【発明の概要】
【０００６】
[0006]  以下に、１つまたは複数の態様の基本的な理解を提供するために、そのような態様の簡略化された概要を提示する。この概要は、意図されるすべての態様の広範な概観ではなく、また、すべての態様の主要または重要なエレメントを特定するようにも、任意またはすべての態様の範囲を定めるようにも意図されない。その唯一の目的は、後に提示されるより詳細な説明への前置きとして、簡略化された形式で１つまたは複数の態様のいくつかの概念を提示することである。
【０００７】
[0007]  １つまたは複数の態様およびその対応する開示にしたがって、様々な態様が、ＬＴＥベースのアクセスネットワークにおけるＤ２Ｄリレーリンク選択に関連して説明される。一例では、通信デバイスは、通信デバイス（例えば、ユーザ機器（ＵＥ））が、候補ＵＥとの任意の既存のアクセスリンクに関連付けられた情報、ＵＥまたは候補ＵＥの閾値近接内にある任意の既存のアクセスリンクに関連付けられた情報、あるいはその他のＵＥ ＵＬ干渉のうちの少なくとも１つに基づいて、候補ＵＥとリレーリンクを確立することができると決定することと、候補ＵＥのための既存のアクセスリンクに関連付けられた情報に基づいて、候補ＵＥがリレーリンクをサポートすることができると決定することと、それらの決定に基づいて、候補ＵＥとのリレーリンクのためのリンク確立プロセスを行うことと、を行う能力が備わっている。
【０００８】
[0008]  関連態様によれば、ＬＴＥベースのアクセスネットワークにおけるＤ２Ｄリレーリンク選択のための方法が提供される。方法は、候補ＵＥとの任意の既存のアクセスリンクに関連付けられた情報、ＵＥまたは候補ＵＥの閾値近接内にある任意の既存のアクセスリンクに関連付けられた情報、あるいはその他のＵＥ ＵＬ干渉のうちの少なくとも１つに基づいて、ＵＥが候補ＵＥとリレーリンクを確立することができると決定することを含むことができる。さらに、方法は、候補ＵＥのための既存のアクセスリンクに関連付けられた情報に基づいて、候補ＵＥがリレーリンクをサポートすることができると決定することを含むことができる。さらに、方法は、それらの決定に基づいて、候補ＵＥとのリレーリンクのためのリンク確立プロセスを行うことを含みうる。
【０００９】
[0009]  別の態様は、ＬＴＥベースのアクセスネットワークにおいてＤ２Ｄリレーリンク選択を行うことが可能な通信装置に関する。通信装置は、候補ＵＥとの任意の既存のアクセスリンクに関連付けられた情報、ＵＥまたは候補ＵＥの閾値近接内にある任意の既存のアクセスリンクに関連付けられた情報、あるいはその他のＵＥ ＵＬ干渉のうちの少なくとも１つに基づいて、ＵＥが候補ＵＥとリレーリンクを確立することができると決定するための手段を含むことができる。さらに、通信装置は、候補ＵＥのための既存のアクセスリンクに関連付けられた情報に基づいて、候補ＵＥがリレーリンクをサポートすることができると決定するための手段を含むことができる。さらに、通信装置は、それらの決定に基づいて、候補ＵＥとのリレーリンクのためのリンク確立プロセスを行うための手段を含むことができる。
【００１０】
[0010]  別の態様は通信装置に関する。装置は、候補ＵＥとの任意の既存のアクセスリンクに関連付けられた情報、ＵＥまたは候補ＵＥの閾値近接内にある任意の既存のアクセスリンクに関連付けられた情報、あるいはその他のＵＥ ＵＬ干渉のうちの少なくとも１つに基づいて、ＵＥが候補ＵＥとリレーリンクを確立することができると決定するように構成された処理システムを含むことができる。さらに、処理システムは、候補ＵＥのための既存のアクセスリンクに関連付けられた情報に基づいて、候補ＵＥがリレーリンクをサポートすることができると決定するように構成されうる。さらに、処理システムは、それらの決定に基づいて、候補ＵＥとのリレーリンクのためのリンク確立プロセスを行うようにさらに構成されうる。
【００１１】
[0011]  さらに別の態様は、コンピュータプログラム製品に関し、それは、候補ＵＥとの任意の既存のアクセスリンクに関連付けられた情報、ＵＥまたは候補ＵＥの閾値近接内にある任意の既存のアクセスリンクに関連付けられた情報、あるいはその他のＵＥ ＵＬ干渉のうちの少なくとも１つに基づいて、ＵＥが候補ＵＥとリレーリンクを確立することができると決定するためのコードを含むコンピュータ可読媒体を有することができる。さらに、コンピュータ可読媒体は、候補ＵＥのための既存のアクセスリンクに関連付けられた情報に基づいて、候補ＵＥがリレーリンクをサポートすることができると決定するためのコードを含みうる。さらに、コンピュータ可読媒体は、それらの決定に基づいて、候補ＵＥとのリレーリンクのためのリンク確立プロセスを行うためのコードを含むことができる。
【００１２】
[0012]  前述した目的および関連する目的を達成するために、１つまたは複数の態様は、以下に十分に説明され、かつ特許請求の範囲において具体的に示される特徴を備える。以下の説明および添付の図面は、１つまたは複数の態様の実例となる特定の特徴を詳細に示す。しかしながら、これらの特徴は、様々な態様の原理が用いられうる様々な方法のうちのほんの一部を示し、この説明は、すべてのこのような態様およびそれらの等価物を含むことが意図される。
【図面の簡単な説明】
【００１３】
【図１】図１は、ネットワークアーキテクチャの例を例示する図である。
【図２】図２は、アクセスネットワークの例を例示する図である。
【図３】図３は、ＬＴＥにおけるＤＬフレーム構造の例を例示する図である。
【図４】図４は、ＬＴＥにおけるＵＬフレーム構造の例を例示する図である。
【図５】図５は、アクセスネットワークにおける発展型ノードＢおよびユーザ機器の例を例示する図である。
【図６】図６は、デバイス・ツー・デバイス通信ネットワークを例示する図である。
【図７】図７は、ある態様に係る、Ｄ２Ｄリレーリンクをサポートするように構成されたデバイス・ツー・デバイス通信ネットワークを例示する図である。
【図８】図８は、ワイヤレス通信の方法のフローチャートである。
【図９】図９は、例示的な装置における異なるモジュール／手段／構成要素間のデータフローを例示する概念的なデータフロー図である。
【図１０】図１０は、処理システムを用いる装置のためのハードウェア実現の例を例示する図である。
【発明を実施するための形態】
【００１４】
[0023]  添付の図面に関連して以下に示される詳細な説明は、様々な構成の説明を意図としており、本明細書で説明される概念が実施されうる唯一の構成を表すことを意図したものではない。詳細な説明は、様々な概念の完全な理解を提供するために特定の詳細を含む。しかしながら、これらの概念がこれらの特定の詳細なしに実施されうることは当業者には明らかであろう。いくつかの事例では、そのような概念を曖昧にしないために、周知の構造および構成要素がブロック図の形式で示される。
【００１５】
[0024]  電気通信システムのいくつかの態様が、これより、様々な装置および方法に関連して提示されるであろう。これらの装置および方法は、以下の詳細な説明で説明され、様々なブロック、モジュール、構成要素、回路、ステップ、プロセス、アルゴリズム、等（総称して「エレメント」と呼ばれる）によって添付の図面で例示される。これらのエレメントは、電子ハードウェア、コンピュータソフトウェア、またはそれらの任意の組み合わせを使用して実現されうる。そのようなエレメントがハードウェアとして実現されるかソフトウェアとして実現されるかは、特定の用途およびシステム全体に課される設計制約に依存する。
【００１６】
[0025]  例として、１つのエレメント、または１つのエレメントの任意の部分、あるいは複数のエレメントの任意の組み合わせが、１つまたは複数のプロセッサを含む「処理システム」を用いて実現されうる。プロセッサの例には、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲートロジック、ディスクリートハードウェア回路、および本開示全体を通して説明される様々な機能性を行うように構成された他の適切なハードウェアが含まれる。処理システム内の１つまたは複数のプロセッサはソフトウェアを実行しうる。ソフトウェアは、ソフトウェア、ファームウェア、ミドルウェア、マイクロコード、ハードウェア記述言語と呼ばれても、それ以外の名称で呼ばれても、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味すると広く解釈されるものとする。
【００１７】
[0026]  したがって、１つまたは複数の例示的な実施形態では、説明される機能は、ハードウェア、ソフトウェア、ファームウェア、またはこれらの任意の組み合わせに実現されうる。ソフトウェアに実現される場合、これらの機能は、コンピュータ可読媒体上の１つまたは複数の命令またはコードとして記憶または符号化されうる。コンピュータ可読媒体はコンピュータ記憶媒体を含む。記憶媒体は、コンピュータによりアクセスされることができる任意の利用可能な媒体でありうる。限定ではなく例として、このようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいはデータ構造または命令の形式で所望のプログラムコードを記憶または搬送するために使用されることができ、かつコンピュータによってアクセスされることができるその他の媒体を備えうる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含み、ここでディスク（disk）は通常、磁気的にデータを再生し、ディスク（disc）は、レーザーを用いて光学的にデータを再生する。上記の組み合わせもまた、コンピュータ可読媒体の適用範囲（scope）内に含まれるべきである。
【００１８】
[0027]  図１は、ＬＴＥネットワークアーキテクチャ１００を例示する図である。ＬＴＥネットワークアーキテクチャ１００は、発展型パケットシステム（ＥＰＳ）１００と呼ばれうる。ＥＰＳ１００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、およびオペレータのＩＰサービス１２２を含みうる。ＥＰＳは、他のアクセスネットワークと相互接続することができるが、簡潔さのために、それらのエンティティ／インターフェースは示されない。示されるように、ＥＰＳは、パケット交換サービスを提供するが、当業者が容易に理解するであろうように、本開示の全体にわたって提示される様々な概念は、回線交換サービスを提供するネットワークに拡張されうる。
【００１９】
[0028]  Ｅ−ＵＴＲＡＮは、発展型ノードＢ（ｅＮＢ）１０６および他のｅＮＢ１０８を含む。ｅＮＢ１０６は、ＵＥ１０２に対してユーザおよび制御プレーンプロトコル終端（terminations）を提供する。ｅＮＢ１０６は、バックホール（例えば、Ｘ２インタフェース）を介して他のｅＮＢ１０８に接続されうる。ｅＮＢ１０６は、基地局、トランシーバ基地局、無線基地局、無線トランシーバ、トランシーバ機能、基本サービススセット（ＢＳＳ）、拡張サービスセット（ＥＳＳ）、または何らかの他の適した専門用語でも呼ばれうる。ｅＮＢ１０６は、ＵＥ１０２のためにＥＰＣ１１０へのアクセスポイントを提供する。ＵＥ１０２の例には、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲーム機器、またはその他の同様に機能するデバイスが含まれる。ＵＥ１０２は、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語でも呼ばれうる。
【００２０】
[0029]  ＵＥ１０２は、Ｄ２Ｄ接続１０３を形成しうる。ある態様では、Ｄ２Ｄ接続１０３は、ＵＥ１０２が互いに通信することを可能にするように構成されうる。別の態様では、ＵＥ１０２は、Ｄ２Ｄ接続１０３を使用して別のＵＥ１０２のためのリレーとして機能しうる。Ｄ２Ｄ接続１０３は、ＤＬリレー接続、ＵＬリレー接続、および／またはＤＬおよびＵＬの両方のリレー接続を提供しうる。動作的な態様では、ＬＴＥネットワークアーキテクチャ１００は、近くのアクティブＵＥ１０２のためのリレーとして機能するためにアイドルＵＥ１０２の使用を可能にしうる。ある態様では、アイドルＵＥ（例えば、リレーＵＥ）は、Ｄ２Ｄ接続１０３を通じて別のＵＥ（例えば、エッジＵＥ）のためのリレーとして機能しうる。リレー候補ごとに、既存のアクセスリンクおよびＵＬリンクのリレー候補に対するインパクトが決定され得、この候補を選択することの既存のアクセスリンクに対するインパクトが決定されうる。これらの決定に基づいて、任意の現存のアクセスリンクにインパクトを与えることなくエンド・ツー・エンドレートを改善するリレーが選択されうる。
【００２１】
[0030]  ｅＮＢ１０６は、Ｓ１インターフェースによってＥＰＣ１１０に接続される。ＥＰＣ１１０は、モビリティ管理エンティティ（ＭＭＥ）１１２、他のＭＭＥ１１４、サービングゲートウェイ１１６、およびパケットデータネットワーク（ＰＤＮ）ゲートウェイ１１８を含む。ＭＭＥ１１２は、ＵＥ１０２とＥＰＣ１１０との間のシグナリングを処理する制御ノードである。一般に、ＭＭＥ１１２は、ベアラおよび接続管理を提供する。すべてのユーザＩＰパケットは、自体がＰＤＮゲートウェイ１１８に接続されるサービングゲートウェイ１１６を通じて転送される。ＰＤＮゲートウェイ１１８は、ＵＥ ＩＰアドレス割振りに加え、他の機能も提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ）、およびＰＳストリーミングサービス（ＰＳＳ）を含みうる。
【００２２】
[0031]  図２は、ＬＴＥネットワークアーキテクチャにおけるアクセスネットワーク２００の例を例示する図である。この例では、アクセスネットワーク２００は、多数のセルラ領域（セル）２０２に分割されている。１つまたは複数のより低い電力クラスのｅＮＢ２０８は、セル２０２のうちの１つまたは複数と重複するセルラ領域２１０を有しうる。より低い電力クラスのｅＮＢ２０８は、フェムトセル（例えば、ホームｅＮＢ（ＨｅＮＢ））、ピコセル、マイクロセル、またはリモート無線ヘッド（ＲＲＨ）でありうる。マクロｅＮＢ２０４は各々、それぞれのセル２０２に割り当てられ、セル２０２内のすべてのＵＥ２０６、２１２に、ＥＰＣ１１０へのアクセスポイントを提供するよう構成される。ＵＥ２１２のうちのいくつかは、デバイス・ツー・デバイス通信状態にありうる。このアクセスネットワーク２００の例には集中型（centralized）コントローラは存在しないが、代替的な構成では、集中型コントローラが使用されうる。ｅＮＢ２０４は、無線ベアラ制御、アドミッション制御、モビリティ制御、スケジューリング、セキュリティ、およびサービングゲートウェイ１１６への接続性を含む、すべての無線関連機能を担う。
【００２３】
[0032]  アクセスネットワーク２００によって用いられる変調および多元接続スキームは、展開される特定の電気通信規格によって異なりうる。ＬＴＥアプリケーションでは、周波数分割複信（ＦＤＤ）および時分割複信（ＴＤＤ）の両方をサポートするために、ＤＬ上ではＯＦＤＭが使用され、ＵＬ上ではＳＣ−ＦＤＭＡが使用される。後に続く詳細な説明から当業者が容易に認識することになるように、本明細書に提示される様々な概念はＬＴＥアプリケーションによく適している。しかしながら、これらの概念は、他の変調および多元接続技法を用いる他の電気通信規格に容易に拡張されうる。例として、これらの概念は、進化データ最適化（ＥＶ−ＤＯ）またはウルトラモバイルブロードバンド（ＵＭＢ）に拡張されうる。ＥＶ−ＤＯおよびＵＭＢは、ＣＤＭＡ２０００規格ファミリの一部として、第３世代パートナーシッププロジェクト２（３ＧＰＰ２）によって公表されたエアインタフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））およびＴＤ−ＳＣＤＭＡのようなＣＤＭＡの他の変形例を用いるユニバーサル地上無線アクセス（ＵＴＲＡ）、ＴＤＭＡを用いるモバイル通信のためのグローバルシステム（ＧＳＭ（登録商標））、ならびにＯＦＤＭＡを用いるフラッシュＯＦＤＭ、ＩＥＥＥ８０２.２０、ＩＥＥＥ８０２.１６（ＷｉＭＡＸ（登録商標））、ＩＥＥＥ８０２.１１（Ｗｉ−Ｆｉ（登録商標））、および発展型ＵＴＲＡ（Ｅ−ＵＴＲＡ）に拡張されうる。ＵＴＲＡ、Ｅ−ＵＴＲＡ、ＵＭＴＳ、ＬＴＥ、およびＧＳＭは、３ＧＰＰ団体からの文書において説明されている。ＣＤＭＡ２０００およびＵＭＢは、３ＧＰＰ２団体からの文書において説明されている。用いられる実際のワイヤレス通信規格および多元接続技術は、特定の用途およびシステムに課せられる全体的な設計制約に依存するであろう。
【００２４】
[0033]  図３は、ＬＴＥにおけるＤＬフレーム構造の例を例示する図３００である。１つのフレーム（１０ｍｓ）は、１０個の等しいサイズのサブフレームに分割されうる。各サブフレームは、２個の連続したタイムスロットを含みうる。リソースグリッドは、２個のタイムスロットを表すために使用され得、各タイムスロットは、リソースブロックを含む。リソースグリッドは、複数のリソースエレメントに分割される。ＬＴＥでは、リソースブロックが、周波数ドメインに１２個の連続したサブキャリアを含み、ノーマルサイクリックプリフィクスの場合、各ＯＦＤＭシンボルにおいて、時間ドメインに７個の連続したＯＦＤＭシンボルを含み、すなわち、８４個のリソースエレメントを含む。拡張サイクリックプリフィクスの場合、リソースブロックは、時間ドメインに６個の連続したＯＦＤＭシンボルを含み、７２個のリソースエレメントを有する。物理ＤＬ制御チャネル（ＰＤＣＣＨ）、物理ＤＬ共有チャネル（ＰＤＳＣＨ）、および他のチャネルは、リソースエレメントにマッピングされうる。
【００２５】
[0034]  図４は、ＬＴＥにおけるＵＬフレーム構造の例を例示する図４００である。ＵＬのための利用可能なリソースブロックは、データセクションと制御セクションとに分割されうる。制御セクションは、システム帯域幅の２つのエッジに形成されることができ、設定可能なサイズを有しうる。制御セクション内のリソースブロックは、制御情報の送信のためにＵＥに割り当てられうる。データセクションは、制御セクションに含まれないすべてのリソースブロックを含みうる。ＵＬフレーム構造は、連続したサブキャリアを含むデータセクションに帰着し、これは、単一のＵＥに、データセクション内のすべての連続したサブキャリアが割り当てられることを可能にしうる。
【００２６】
[0035]  ＵＥは、ｅＮＢに制御情報を送信するために、制御セクション内のリソースブロック４１０ａ、４１０ｂが割り当てられうる。ＵＥはまた、ｅＮＢにデータを送信するために、データセクション内のリソースブロック４２０ａ、４２０ｂが割り当てられうる。ＵＥは、制御セクション内の割り当てられたリソースブロック上で、物理ＵＬ制御チャネル（ＰＵＣＣＨ）において制御情報を送信しうる。ＵＥは、データセクション内の割り当てられたリソースブロック上で、物理ＵＬ共有チャネル（ＰＵＳＣＨ）においてデータのみ、またはデータと制御情報の両方を送信しうる。ＵＬ送信は、サブフレームの両方のスロットにまたがり、周波数にわたってホッピングしうる。
【００２７】
[0036]  リソースブロックのセットは、物理ランダムアクセスチャネル（ＰＲＡＣＨ）４３０において、初期システムアクセスを行い、ＵＬ同期を達成するために使用されうる。ＰＲＡＣＨ４３０は、ランダムシーケンスを搬送し、いずれのＵＬデータ／シグナリングを搬送することはできない。各ランダムアクセスプリアンブルは、６個の連続したリソースブロックに対応する帯域幅を占有する。開始周波数はネットワークによって指定される。すなわち、ランダムアクセスプリアンブルの送信は、ある特定の時間および周波数リソースに制限される。ＰＲＡＣＨについては、周波数ホッピングは存在しない。ＰＲＡＣＨの試みは、単一のサブフレーム（１ｍｓ）で、または少数の連続したサブフレームのシーケンスにおいて搬送され、ＵＥは、１フレーム（１０ｍｓ）ごとに単一のＰＲＡＣＨの試みのみを行うことができる。
【００２８】
[0037]  図５は、アクセスネットワークにおいてＵＥ５５０と通信状態にあるｅＮＢ５１０のブロック図である。ＤＬでは、コアネットワークからの上位レイヤのパケットが、コントローラ／プロセッサ５７５に提供される。コントローラ／プロセッサ５７５はＬ２レイヤの機能性を実現する。ＤＬでは、コントローラ／プロセッサ５７５は、ヘッダ圧縮、暗号化、パケットセグメンテーションおよび並び替え、論理チャネルとトランスポートチャネルとの間での多重化、および様々な優先順位メトリックに基づいたＵＥ５５０への無線リソース割振りを提供する。コントローラ／プロセッサ５７５はまた、ＨＡＲＱ動作、損失パケットの再送、ＵＥ５５０へのシグナリングを担う。
【００２９】
[0038]  送信（ＴＸ）プロセッサ５１６は、Ｌ１レイヤ（すなわち、物理レイヤ）のための様々な信号処理機能を実現する。信号処理機能は、ＵＥ５５０における順方向誤り訂正（ＦＥＣ）を容易にするようにコーディングおよびインターリーブすることと、様々な変調スキーム（例えば、二位相偏移変調（ＢＰＳＫ）、直交位相偏移変調（ＱＰＳＫ）、Ｍ相位偏移変調（Ｍ−ＰＳＫ）、Ｍ値直交振幅変調（Ｍ−ＱＡＭ））に基づいて信号コンステレーションにマッピングすることとを含む。次いで、コーディングおよび変調されたシンボルは、並行した複数のストリームへと分けられうる。次に、各ストリームは、ＯＦＤＭサブキャリアにマッピングされ、時間ドメインおよび／または周波数ドメインにおいて基準信号（例えば、パイロット）と多重化され、次いで、逆高速フーリエ変換（ＩＦＦＴ）を使用して互いに組み合わせられて、時間ドメインのＯＦＤＭシンボルストリームを搬送する物理チャネルが生成される。ＯＦＤＭストリームは、多数の空間ストリームを生成するために空間的にプリコーディングされる。チャネル推定器５７４からのチャネル推定値が、コーディングおよび変調スキームを決定するため、および、空間処理のために使用されうる。チャネル推定値は、ＵＥ５５０によって送信されたチャネル条件フィードバックおよび／または基準信号から導出されうる。次いで、各空間ストリームが、別個の送信機５１８ＴＸを介して異なるアンテナ５２０に提供される。各送信機５１８ＴＸは、送信のために、それぞれの空間ストリームを用いてＲＦキャリアを変調する。
【００３０】
[0039]  ＵＥ５５０において、各受信機５５４ＲＸは、それのそれぞれのアンテナ５５２を通じて信号を受信する。別の態様では、ＵＥ５５０は、ＵＥ５５０がｅＮＢ５１０と通信する方法に類似して、他のＵＥと通信しうる。各受信機５５４ＲＸは、ＲＦキャリア上に変調された情報を復元し、その情報を受信（ＲＸ）プロセッサ５５６に提供する。ＲＸプロセッサ５５６は、Ｌ１レイヤの様々な信号処理機能を実現する。ＲＸプロセッサ５５６は、ＵＥ５５０に宛てられた任意の空間ストリームを復元するために、その情報に対して空間処理を行う。多数の空間ストリームがＵＥ５５０に宛てられている場合、それらは、ＲＸプロセッサ５５６によって、単一のＯＦＤＭシンボルストリームへと組み合わせられうる。次いで、ＲＸプロセッサ５５６は、高速フーリエ変換（ＦＦＴ）を使用して、ＯＦＤＭシンボルストリームを時間ドメインから周波数ドメインに変換する。周波数ドメインの信号は、ＯＦＤＭ信号のサブキャリアごとに別個のＯＦＤＭシンボルストリームを備える。各サブキャリア上のシンボルと基準信号とは、ｅＮＢ５１０によって送信される、最も可能性の高い信号コンステレーションポイントを決定することによって復元および復調される。これらの軟判定は、チャネル推定器５５８によって計算されたチャネル推定値に基づきうる。次いで、軟判定は、物理チャネル上でｅＮＢ５１０によって最初に送信されたデータおよび制御信号を復元するために、復号およびデインタリーブされる。次いで、データおよび制御信号が、コントローラ／プロセッサ５５９に提供される。
【００３１】
[0040]  コントローラ／プロセッサ５５９はＬ２レイヤを実現する。コントローラ／プロセッサは、プログラムコードおよびデータを記憶するメモリ５６０に関連付けられうる。メモリ５６０は、コンピュータ可読媒体とも呼ばれうる。ＵＬでは、コントローラ／プロセッサ５５９は、トランスポートチャネルと論理チャネルとの間でのデマルチプレクシング、パケットのリアセンブリ、暗号解読、ヘッダ圧縮解除、制御信号処理を提供して、コアネットワークからの上位レイヤのパケットを復元する。次いで、上位レイヤのパケットは、Ｌ２レイヤより上位のすべてのプロトコルレイヤを表すデータシンク５６２に提供される。様々な制御信号もまた、Ｌ３処理のために、データシンク５６２に提供されうる。コントローラ／プロセッサ５５９はまた、ＨＡＲＱ動作をサポートするために、肯定応答（ＡＣＫ）および／または否定応答（ＮＡＣＫ）プロトコルを使用した誤り検出を担う。
【００３２】
[0041]  ＵＬでは、コントローラ／プロセッサ５５９に上位レイヤのパケットを提供するために、データソース５６７が使用される。データソース５６７は、Ｌ２レイヤより上位のすべてのプロトコルレイヤを表す。ｅＮＢ５１０によるＤＬ送信に関連して説明された機能と同様に、コントローラ／プロセッサ５５９は、ヘッダの圧縮、暗号化、パケットのセグメンテーションおよび並び替え、ｅＮＢ５１０による無線リソースの割振りに基づいた論理チャネルとトランスポートチャネルとの間での多重化を提供することによって、ユーザプレーンおよび制御プレーンのためのＬ２レイヤを実現する。コントローラ／プロセッサ５５９はまた、ＨＡＲＱ動作、損失パケットの再送、ｅＮＢ５１０へのシグナリングを担う。
【００３３】
[0042]  ｅＮＢ５１０によって送信されたフィードバックまたは基準信号からチャネル推定器５５８によって導出されたチャネル推定値は、適切なコーディングおよび変調スキームを選択するため、および空間処理を容易にするために、ＴＸプロセッサ５６８によって使用されうる。ＴＸプロセッサ５６８によって生成される空間ストリームは、別個の送信機５５４ＴＸを介して異なるアンテナ５５２に提供される。各送信機５５４ＴＸは、送信のために、それぞれの空間ストリームを用いてＲＦキャリアを変調する。
【００３４】
[0043]  ＵＬ送信は、ＵＥ５５０における受信機機能に関連して説明されたのと同様の方法でｅＮＢ５１０において処理される。各受信機５１８ＲＸは、それのそれぞれのアンテナ５２０を通じて信号を受信する。各受信機５１８ＲＸは、ＲＦキャリア上に変調された情報を復元し、ＲＸプロセッサ５７０にその情報を提供する。ＲＸプロセッサ５７０はＬ１レイヤを実現しうる。
【００３５】
[0044]  コントローラ／プロセッサ５７５はＬ２レイヤを実現する。コントローラ／プロセッサ５７５は、プログラムコードおよびデータを記憶するメモリ５７６に関連付けられうる。メモリ５７６は、コンピュータ可読媒体とも呼ばれうる。ＵＬでは、コントローラ／プロセッサ５７５は、トランスポートチャネルと論理チャネルとの間でのデマルチプレクシング、パケットのリアセンブリ、暗号解読、ヘッダの圧縮解除、制御信号処理を提供して、ＵＥ５５０からの上位レイヤのパケットを復元する。コントローラ／プロセッサ５７５からの上位レイヤのパケットは、コアネットワークに提供されうる。コントローラ／プロセッサ５７５はまた、ＨＡＲＱ動作をサポートするために、ＡＣＫおよび／またはＮＡＣＫプロトコルを使用した誤り検出を担う。
【００３６】
[0045]  図６は、デバイス・ツー・デバイス通信システム６００の図である。デバイス・ツー・デバイス通信システム６００は、複数のワイヤレスデバイス６０４、６０６、６０８、６１０を含む。デバイス・ツー・デバイス通信システム６００は、例えば、ワイヤレス広域ネットワーク（ＷＷＡＮ）のようなセルラ通信システムと重複しうる。ワイヤレスデバイス６０４、６０６、６０８、６１０の中には、ＤＬ／ＵＬ ＷＷＡＮスペクトルを使用してデバイス・ツー・デバイス通信で互いに通信しうるものもあれば、基地局６０２と通信しうるものもあり、その両方を行いうるものもある。例えば、図６に示すように、ワイヤレスデバイス６０８、６１０がデバイス・ツー・デバイス通信状態にあり、ワイヤレスデバイス６０４、６０６がデバイス・ツー・デバイス通信状態にある。ワイヤレスデバイス６０４、６０６は、基地局６０２とも通信している。
【００３７】
[0046]  ワイヤレスデバイスは、当業者によって、別名、ユーザ機器、モバイル局、加入者局、モバイルユニット、加入者ユニット、ワイヤレスユニット、ワイヤレスノード、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルライアント、クライアント、または何らかの他の適切な専門用語でも呼ばれうる。基地局は、当業者によって、別名、アクセスポイント、トランシーバ基地局、無線基地局、無線トランシーバ、トランシーバ機能、基本サービスセット（ＢＳＳ）、拡張サービスセット（ＥＳＳ）、ノードＢ、発展型ノードＢ、または何らかの他の適切な専門用語で呼ばれうる。
【００３８】
[0047]  以下に説明される例示的な方法および装置は、例えば、ＦｌａｓｈＬｉｎＱ、ＷｉＭｅｄｉａ、Ｂｌｕｅｔｏｏｔｈ（登録商標）、ＺｉｇＢｅｅ、またはＩＥＥＥ８０２.１１規格に基づいたＷｉ−Ｆｉに基づいたワイヤレスデバイス・ツー・デバイス通信システムのような、様々なワイヤレスデバイス・ツー・デバイス通信システムのどれにも適用可能である。説明を簡潔にするために、例示的な方法および装置は、ＬＴＥのコンテキスト内で説明される。しかしながら、当業者は、例示的な方法および装置が、様々な他のワイヤレスデバイス・ツー・デバイス通信システムにより一般に適用可能であることを理解するだろう。
【００３９】
[0048]  図７は、ｅＮＢ７０２との通信のために、近くのアクティブＵＥ（例えば、ＵＥ７０６）のためのリレーとしてのアイドルＵＥ（例えば、ＵＥ７０４）の使用をサポートするように構成されたデバイス・ツー・デバイス通信システム７００の図である。デバイス・ツー・デバイス通信システム７００は、１つまたは複数のｅＮＢ７０２および１つまたは複数のＵＥ（７０４、７０６、７０８、７１０、７１２、７１４）を含みうる。任意のＵＥがリレーＵＥとして機能しうるが、明瞭さのために、図７は、候補ＵＥ７０４が、Ｄ２Ｄリレー接続７２２のためのリレーＵＥとして選択されうるかどうかをエッジＵＥ７０６が決定する態様を描写する。さらに、別の態様では、本明細書で説明される、Ｄ２Ｄリレー接続７２２を選択および確立するプロセスは、アイドルリレー候補ＵＥ（例えば、ＵＥ７０４）、エッジＵＥ（例えば、ＵＥ７０６）および／または両方のＵＥ（７０４、７０６）によって行われうる。Ｄ２Ｄリレー接続７２２は、現存のアクセスリンクにインパクトを与えることなく、改善されたエンド・ツー・エンドレートが期待される場合、確立されうる。ある態様では、Ｄ２Ｄリレー接続７２２は、ＵＬリレーイング（relaying）、ＤＬリレーイング、および／またはＵＬおよびＤＬの両方のリレーイングを提供しうる。
【００４０】
[0049]  動作的な態様では、ＵＥ７０６は、任意のリレー候補ＵＥ（例えば、７０４、７０８、７１０）がシステム７００に存在するかどうかを決定しうる。ある態様では、ＵＥ７０６は、候補ＵＥ（例えば、７０４、７０８、７１０）の存在を示すリスト／アレイ／マトリックス等を示すメッセージ７２０をｅＮＢ７０２から受信しうる。別の態様では、ＵＥ７０６は、他のＵＥからのブロードキャスト７２８をリスンしうる。そのような態様では、ブロードキャスト７２８は、任意の既存のアクセスリンク７２６についての、および、合計でいくつのリンクをＵＥがサポートしうるかについての情報を含みうる。別の態様では、ＵＥ７０６は、同様のブロードキャスト情報７２８を他のＵＥ（例えば、７０４、７０８、７１０）に提供しうる。さらに、ＵＥ７０６は、ＵＥ（例えば、７０４、７０８、７１０）とｅＮＢ７０２との間の接続からＵＬ干渉７２４に関連付けられた情報を決定し、および／または、それが提供されうる。さらに、ＵＥ７０６は、任意の既存のリンク７３０がＵＥ７０６の近接内に存在するかどうかを決定しうる。そのような既存のリンク７３０は、リレー候補ＵＥとみなされていないＵＥ間（７１０と７１２との間、７０８と７１４との間）にありうる。
【００４１】
[0050]  最初に、ＵＥ７０６は、Ｄ２Ｄリレー接続７２２が確立されることとなった場合に、それをサポートすることができるかどうかを決定しうる。この決定は、ＵＥとの任意の既存のアクセスリンク、ＵＥの近接内にある（例えば、閾値範囲内にある）任意の既存のリンク７３０、その他のＵＥ ＵＬ干渉７２４、等に関連付けられた情報に基づきうる。Ｄ２Ｄリレー接続７２２の作成を処理することができるとＵＥ７０６が決定すると、ＵＥ７０６は、Ｄ２Ｄリレー接続７２２が確立されることとなる場合、リレー候補ＵＥ７０４がそれを、サポートすることができるかどうかを決定しうる。この決定は、リレー候補ＵＥ７０４によってサポートされる既存のアクセスリンク７２６に関連付けられた情報、および、リレー候補ＵＥ７０４がサポートしうるアクセスリンクの総数に基づきうる。上述したように、ＵＥ７０６は、リレー候補ＵＥ７０４によって提供されるブロードキャスト情報７２８から、リレー候補ＵＥ７０４によってサポートされる既存のアクセスリンク７２６の数およびリレー候補ＵＥ７０４がサポートしうるアクセスリンクの総数を知っている。ある態様では、ブロードキャスト情報７２８は、既存のリンク７３０が、近接にある、干渉を引き起こす別のアクセスリンクを許容しうるかどうかをさらに示しうる。そのような態様では、このインジケーションは、リンク７３０の近接内にある許容されうる追加のアクセスリンクの数を示す値、リンク７３０の近接内にあるさらなる（any more）アクセスリンクが許容されうるかどうかを示す値、等として提供されうる。ＵＥ７０６がＤ２Ｄリレー接続７２２をサポートすることができ、リレー候補ＵＥ７０４が、Ｄ２Ｄリレー接続７２２をサポートすることができる場合、ＵＥ７０４、７０６は、Ｄ２Ｄリレー接続７２２を確立しうる。
【００４２】
[0051]  図８は、ワイヤレス通信の方法のフローチャート８００である。方法は、ＵＥ（例えば、ＵＥ７０４、ＵＥ７０６）によって行われうる。さらに、フローチャート８００に描写されているブロックで説明される機能性は、図９に描写されている例となる装置９０２において関連付けられた様々なモジュール（８０４、９０６、９０８、９１０、９１２）によって行われうる。
【００４３】
[0052]  オプションの態様では、ブロック８０２において、ＵＥは、１つまたは複数の候補ＵＥが存在すると決定しうる。ある態様では、ＵＥは、候補ＵＥの存在を示すリスト／アレイ／マトリックス、等をｅノードＢから受信しうる。別の態様では、ＵＥは、任意の候補ＵＥからのブロードキャストを検出するために、ある時間期間の間システムをモニタリングしうる。ある態様では、受信モジュール９０４は、他のＵＥ７０４、７１０の存在を示すメッセージ９２２をｅＮＢ７０２から受信しうる。ある態様では、受信モジュール９０４は、他のＵＥ７０４、７１０からのブロードキャスト９２０、９２４をモニタリングしうる。
【００４４】
[0053]  オプションの態様では、ブロック８０４において、ＵＥは、任意の既存のアクセスリンクについて、および、合計でいくつのリンクをＵＥがサポートしうるかについての情報をブロードキャストしうる。ある態様では、各アクティブアクセスリンクは、その現在の干渉および最大許容干渉を計算し、この情報をブロードキャストしうる。別の態様では、任意の既存のアクセスリンクについての情報は、ＵＥがさらなるアクセスリンクをサポートしうるかどうかを示す値（例えば、はい／いいえビット）を含みうる。ある態様では、送信モジュール９１２は、情報９２８をブロードキャストしうる。
【００４５】
[0054]  ブロック８０６ａにおいて、ＵＥは、それが１つまたは複数の候補ＵＥのうちの候補ＵＥと候補リレーリンクを確立することができるかどうかを決定しうる。ある態様では、ＵＥリレーリンク能力モジュール９０６は、ＵＥ能力９２８を決定するために、受信された情報（９２２、９２４）を使用しうる。ある態様では、候補リレーリンクは、アップリンク（ＵＬ）リレーリンク、ダウンリンク（ＤＬ）リレーリンク、またはＵＬおよびＤＬリレーリンクでありうる。ある態様では、ＵＥは、ＵＥとの任意の既存のアクセスリンク、ＵＥの近接内にある（例えば、閾値距離内にある）任意の既存のアクセスリンク、その他のＵＥ ＵＬ干渉、等に関連付けられた情報に基づいて、それが候補リレーリンクを確立することができるかどうかを決定しうる。例えば、第１のＵＥは、第１のＵＥまたはリレー候補ＵＥの近接内にあり、かつ、それらに可視である、第３のＵＥと第４のＵＥとの間に既存のリンクも存在する環境においてリレー候補ＵＥとリンクを確立しようと試みうる。そのような環境では、第１のＵＥおよび／またはリレー候補ＵＥは、第１のＵＥおよび／またはリレー候補ＵＥとの任意の既存のアクセスリンク、および第１のＵＥおよび／またはリレー候補ＵＥの近接内にある任意の既存のアクセスリンクを考慮に入れうる。そのような態様では、既存のアクセスリンクの候補リレーリンクに対するインパクトは、アクセスリンクの干渉グラフの入次数（in-degree）として決定されうる。さらに、アクセスリンク上で見られるレートを推定するために、アクセスリンクがリソースの１／（Ｎ＋１）を使用するだろうと想定され得、ここで、Ｎは入次数である。別の態様では、他のＵＥ ＵＬ干渉の候補リレーリンクに対するインパクトは、（平均）受信干渉電力として決定されうる。
【００４６】
[0055]  ブロック８０６ａにおいて、ＵＥが、それが候補ＵＥと候補リレーリンクを確立することができないと決定すると、ブロック８０８において、プロセスは終了しうる。ある態様では、リレーリンク決定モジュール９１０は、候補リレーリンク９３０を確立しないと決定しうる。
【００４７】
[0056]  ＵＥが、それが候補ＵＥと候補リレーリンクを確立することができると決定すると、ブロック８０６ｂにおいて、候補リレーリンクが、最大数を超えて既存のアクセスリンクの入次数を増加させるかどうか（例えば、ブロック８０４からのブロードキャスト情報）によって、候補リレーリンクを選択することの既存のアクセスリンクに対するインパクトが決定される。ある態様では、候補ＵＥリレーリンク能力モジュール９０８は、リレー候補ＵＥ７０４の能力９２６を決定するために、受信された情報（９２０、９２２）を使用しうる。この決定は、ＵＥおよび／または候補リレーＵＥで起こりうる。ある態様では、ＵＥは、候補リレーＵＥがリレーリンクをサポートすることができるかどうかを決定するために評価を行うよう、そして、候補リレーＵＥがリレーリンクをサポートすることができるかどうかを示すメッセージをＵＥに送り戻すよう候補リレーＵＥに促すメッセージを候補リレーＵＥに送りうる。別の態様では、ＵＥは、ＵＥがリレーリンクをサポートすることができるかどうかを決定するために評価を行うようＵＥに促す同様のメッセージを受信しうる。
【００４８】
[0057]  ブロック８０６ｂにおいて、ＵＥおよび／または候補ＵＥが、既存のリンクの入次数が最大数を超えて増加すると決定すると、プロセスはブロック８０８において終了しうる。上述したように、リレーリンク決定モジュール９１０は、候補リレーリンク９３０を確立しないと決定しうる。
【００４９】
[0058]  そうではない場合、ブロック８１０において、ＵＥは、候補ＵＥと候補リレーリンクを確立しうる。ある態様では、リレーリンク決定モジュール９１０は、候補リレーリンク９３０を選択すると決定し得、送信モジュール９１２の援助を通じて、リレーリンク９３０を確立しうる。
【００５０】
[0059]  図９は、例となる装置９０２内の異なるモジュール／手段／構成要素間のデータフローを例示する概念的なデータフロー図９００である。装置は、ＵＥ（例えば、ＵＥ７０４、ＵＥ７０６）でありうる。図８に関連して説明したように、装置９０２は、受信モジュール９０４、ＵＥリレーリンク能力モジュール９０６、候補ＵＥリレーリンク能力モジュール９０８、リレーリンク決定モジュール９１０、および送信モジュール９１２を含む。
【００５１】
[0060]  装置は、上述された図８のフローチャートにおけるアルゴリズムのステップの各々を行う追加のモジュールを含みうる。このように、上述された図８のフローチャートにおける各ブロックはモジュールによって行われ、装置は、これらモジュールのうちの１つまたは複数を含みうる。モジュールは、説明されたプロセス／アルゴリズムを実行するように特に構成され、説明されたプロセス／アルゴリズムを行うように構成されたプロセッサによって実現され、プロセッサによる実現のためにコンピュータ可読媒体内に記憶され、またはそれらの何らかの組み合わせである、１つまたは複数のハードウェア構成要素でありうる。
【００５２】
[0061]  図１０は、処理システム１０１４を用いる装置９０２’のためのハードウェア実現の例を例示する図１０００である。処理システム１０１４は、概してバス１０２４によって表されるバスアーキテクチャを用いて実現されうる。バス１０２４は、処理システム１０１４の特定の用途と設計制約全体に依存して、任意の数の相互接続バスおよびブリッジを含みうる。バス１０２４は、プロセッサ１００４、モジュール９０４、９０６、９０８、９１０、９１２、およびコンピュータ可読媒体１００６で表される、１つまたは複数のプロセッサおよび／またはハードウェアモジュールを含む様々な回路を互いにリンクさせる。バス１０２４はまた、タイミングソース、周辺機器、電圧レギュレータ、および電力管理回路のような様々な他の回路をリンクさせることができるが、これらは、当技術分野では周知であるためこれ以上説明されないであろう。
【００５３】
[0062]  処理システム１０１４は、トランシーバ１０１０に結合されうる。トランシーバ１０１０は、１つまたは複数のアンテナ１０２０に結合される。トランシーバ１０１０は、伝送媒体を通して様々な他の装置と通信するための手段を提供する。処理システム１０１４は、コンピュータ可読媒体１００６に結合されたプロセッサ１００４を含む。プロセッサ１００４は、コンピュータ可読媒体１００６に記憶されたソフトウェアの実行を含む汎用処理を担う。ソフトウェアは、プロセッサ１００４によって実行されると、処理システム１０１４に、任意の特定の装置に関して先に述べた様々な機能を行わせる。コンピュータ可読媒体１００６はまた、ソフトウェアを実行するときにプロセッサ１００４によって操作されるデータを記憶するために使用されうる。処理システムはさらに、モジュール９０４、９０６、９０８、９１０、および９１２のうちの少なくとも１つを含む。モジュールは、プロセッサ１００４で稼働しており、コンピュータ可読媒体１００６に存在し／記憶されたソフトウェアモジュール、プロセッサ１００４に結合された１つまたは複数のハードウェアモジュール、またはそれらの何らかの組み合わせでありうる。処理システム１０１４は、ＵＥ５５０の構成要素であり得、メモリ５６０、および／またはＴＸプロセッサ５６８、ＲＸプロセッサ５５６、およびコントローラ／プロセッサ５５９のうちの少なくとも１つを含みうる。
【００５４】
[0063]  一構成では、ワイヤレス通信のための装置９０２／９０２’は、ＵＥとの任意の既存のアクセスリンクに関連付けられた情報、ＵＥまたは候補ＵＥの閾値近接内にある任意の既存のアクセスリンクに関連付けられた情報、あるいは、その他のＵＥ アップリンクＵＬ干渉のうちの少なくとも１つに基づいて、ＵＥが候補ＵＥとリレーリンクを確立することができると決定するための手段と、候補ＵＥのための既存のアクセスリンクに関連付けられた情報に基づいて、候補ＵＥがリレーリンクをサポートすることができると決定するための手段と、それらの決定に基づいて、候補ＵＥとリレーリンクのためのリンク確立プロセスを行うための手段とを含む。ある態様では、装置９０２／９０２’は、１つまたは複数の候補ＵＥのリストをｅノードＢから受信するための手段をさらに含みうる。ある態様では、装置９０２／９０２’は、１つまたは複数の候補ＵＥを検出するために測定を行うための手段をさらに含みうる。ある態様では、装置９０２／９０２’は、ＵＥがサポートすることができるアクセスリンクの総数、およびＵＥによって現在サポートされているアクセスリンクの数をブロードキャストするための手段をさらに含みうる。ある態様では、装置９０２／９０２’は、候補ＵＥがリレーリンクをサポートすることができるかどうかを決定するために評価を行うよう候補ＵＥに促すメッセージを送信するための手段をさらに含みうる。そのような態様では、装置９０２／９０２’は、候補ＵＥがリレーリンクをサポートすることができることを示すインジケーションを候補ＵＥから受信するための手段をさらに含みうる。ある態様では、装置９０２／９０２’は、ＵＥがリレーリンクをサポートすることができるかどうかを決定するために評価を行うようＵＥに促すメッセージを候補ＵＥから受信するための手段をさらに含みうる。
【００５５】
[0064]  前述の手段は、前述の手段によって記載された機能を行うように構成された、装置９０２の前述のモジュール、および／または、装置９０２’の処理システム１０１４のうちの１つまたは複数でありうる。先に述べたように、処理システム１０１４は、ＴＸプロセッサ５６８、ＲＸプロセッサ５５６、およびコントローラ／プロセッサ５５９を含みうる。このように、一構成では、前述の手段は、前述の手段によって記載された機能を行うように構成された、ＴＸプロセッサ５６８、ＲＸプロセッサ５５６、およびコントローラ／プロセッサ５５９でありうる。
【００５６】
[0065]  開示されたプロセスにおけるステップの特定の順序または階層が例示的なアプローチの一例であることは理解されるべきである。設計の選好に基づいて、これらのプロセスにおけるステップの特定の順序または階層が並べ替えられうることは理解される。さらに、いくつかのステップは組み合されるかまたは省略されうる。添付の方法の請求項は、様々なステップのエレメントを１つの例示的な順序で示し、それらが提示された特定の順序または階層に限定されることは意味されない。
【００５７】
[0066]  先の説明は、当業者による、本明細書に説明された様々な態様の実施を可能にするために、提供されている。これらの態様に対する様々な修正は、当業者には容易に明らかとなり、本明細書において定義された包括的な原理は、他の態様に適用されうる。したがって、特許請求の範囲は、本明細書に示された態様に限定されるよう意図されたものではなく、特許請求の範囲における文言と一致する全範囲が付与されるべきものである。ここで、単数形のエレメントへの参照は、別途明記されていない限り、「１つ、および１つのみ」を意味することを意図しておらず、むしろ「１つまたは複数」を意味する。別途明記されていない限り、「何らかの／いくつかの」という用語は、１つまたは複数を指す。当業者に知られているかかまたは後に知られることとなる、本開示全体にわたって説明された様々な態様のエレメントと構造的および機能的に同等なものはすべて、参照によって本明細書に明確に組み込まれ、そして特許請求の範囲に包含されることを意図している。さらに、本明細書におけるどの開示も、そのような開示が特許請求の範囲に明示的に記載されているかどうかに関わらず、公に献呈されることを意図するものではない。いずれの請求項のエレメントも、そのエレメントが「〜ための手段」という表現を使用して明記されていない限り、手段プラス機能（means plus function）として解釈されるべきではない。
以下に本願発明の当初の特許請求の範囲に記載された発明を付記する。
［Ｃ１］
通信の方法であって、
候補ユーザ機器（ＵＥ）との任意の既存のアクセスリンクに関連付けられた情報、ＵＥまたは前記候補ＵＥの閾値近接内にある任意の既存のアクセスリンクに関連付けられた情報、あるいはその他のＵＥ アップリンク（ＵＬ）干渉のうちの少なくとも１つに基づいて、前記ＵＥが前記候補ＵＥとリレーリンクを確立することができると決定することと、
前記候補ＵＥのための既存のアクセスリンクに関連付けられた情報に基づいて、前記候補ＵＥが前記リレーリンクをサポートすることができると決定することと、
前記決定に基づいて、前記候補ＵＥとの前記リレーリンクのためのリンク確立プロセスを行うことと
を備える方法。
［Ｃ２］
１つまたは複数の候補ＵＥのリストをｅノードＢから受信することをさらに備える、
Ｃ１に記載の方法。
［Ｃ３］
１つまたは複数の候補ＵＥを検出するために測定を行うことをさらに備える、
Ｃ１に記載の方法。
［Ｃ４］
前記リレーリンクは、ＵＬリレーリンク、ダウンリンク（ＤＬ）リレーリンク、またはＵＬおよびＤＬリレーリンク、のうちの少なくとも１つを備える、
Ｃ１に記載の方法。
［Ｃ５］
前記ＵＥとの任意の既存のアクセスリンクに関連付けられた前記情報は、前記ＵＥがサポートすることができるアクセスリンクの総数と、前記ＵＥによって現在サポートされているアクセスリンクの数とを備える、
Ｃ１に記載の方法。
［Ｃ６］
前記ＵＥがサポートすることができるアクセスリンクの前記総数と、前記ＵＥによって現在サポートされているアクセスリンクの前記数とをブロードキャストすることをさらに備える、
Ｃ５に記載の方法。
［Ｃ７］
前記他のＵＥ ＵＬ干渉は、平均受信干渉電力値を備える、
Ｃ１に記載の方法。
［Ｃ８］
前記候補ＵＥとの任意の既存のアクセスリンクに関連付けられた情報は、前記候補ＵＥがサポートすることができるアクセスリンクの総数と、前記候補ＵＥによって現在サポートされているアクセスリンクの数と
を備える、Ｃ１に記載の方法。
［Ｃ９］
前記候補ＵＥとの任意の既存のアクセスリンクに関連付けられた前記情報は、前記候補ＵＥがさらなるアクセスリンクをサポートすることができるかどうかを示す値を備える、
Ｃ１に記載の方法。
［Ｃ１０］
前記候補ＵＥが前記リレーリンクをサポートすることができるかどうかを決定するために評価を行うよう前記候補ＵＥに促すメッセージを送信することをさらに備える、
Ｃ１に記載の方法。
［Ｃ１１］
前記リンク確立を前記行うことは、
前記候補ＵＥが前記リレーリンクをサポートすることができることを示すインジケーションを前記候補ＵＥから受信することをさらに備える、
Ｃ１０に記載の方法。
［Ｃ１２］
前記ＵＥが前記リレーリンクをサポートすることができるかどうかを決定するために評価を行うよう前記ＵＥに促すメッセージを前記候補ＵＥから受信することをさらに備える、
Ｃ１に記載の方法。
［Ｃ１３］
既存のアクセスリンクは、前記ＵＥまたは前記候補ＵＥの前記閾値近接内にある第３のＵＥと第４のＵＥとの間に存在し、前記ＵＥまたは前記候補ＵＥの前記閾値近接内にある前記既存のアクセスリンクに関連付けられた前記情報は、
前記第３のＵＥおよび前記第４のＵＥの前記閾値近接内にある許可されることができる追加のアクセスリンクの数を示す値、または
前記第３のＵＥおよび前記第４のＵＥの前記閾値近接内にあるさらなるアクセスリンクがサポートされることができるかどうかを示す値
のうちの少なくとも１つをさらに備える、
Ｃ１に記載の方法。
［Ｃ１４］
前記ＵＥはエッジＵＥであり、前記候補ＵＥはリレーＵＥであり、前記エッジＵＥは、前記リレーＵＥを通じてｅノードＢからサービスを受信する、
Ｃ１に記載の方法。
［Ｃ１５］
前記ＵＥはリレーＵＥであり、前記候補ＵＥはエッジＵＥであり、前記エッジＵＥは、前記リレーＵＥを通じてｅノードＢからサービスを受信する、
Ｃ１に記載の方法。
［Ｃ１６］
通信のための装置であって、
候補ユーザ機器（ＵＥ）との任意の既存のアクセスリンクに関連付けられた情報、ＵＥまたは前記候補ＵＥの閾値近接内にある任意の既存のアクセスリンクに関連付けられた情報、あるいはその他のＵＥ アップリンク（ＵＬ）干渉のうちの少なくとも１つに基づいて、前記ＵＥが前記候補ＵＥとリレーリンクを確立することができると決定するための手段と、
前記候補ＵＥのための既存のアクセスリンクに関連付けられた情報に基づいて、前記候補ＵＥが前記リレーリンクをサポートすることができると決定するための手段と、
前記決定に基づいて、前記候補ＵＥとの前記リレーリンクのためのリンク確立プロセスを行うための手段と
を備える装置。
［Ｃ１７］
１つまたは複数の候補ＵＥのリストをｅノードＢから受信するための手段
をさらに備える、Ｃ１６に記載の装置。
［Ｃ１８］
１つまたは複数の候補ＵＥを検出するために測定を行うための手段をさらに備える、
Ｃ１６に記載の装置。
［Ｃ１９］
前記リレーリンクは、ＵＬリレーリンク、ダウンリンク（ＤＬ）リレーリンク、またはＵＬおよびＤＬリレーリンク、のうちの少なくとも１つを備える、
Ｃ１６に記載の装置。
［Ｃ２０］
前記ＵＥとの任意の既存のアクセスリンクに関連付けられた前記情報は、前記ＵＥがサポートすることができるアクセスリンクの総数と、前記ＵＥによって現在サポートされているアクセスリンクの数とを備える、
Ｃ１６に記載の装置。
［Ｃ２１］
前記ＵＥがサポートすることができるアクセスリンクの前記総数と、前記ＵＥによって現在サポートされているアクセスリンクの前記数とをブロードキャストするための手段をさらに備える、
Ｃ２０に記載の装置。
［Ｃ２２］
前記他のＵＥ ＵＬ干渉は、平均受信干渉電力値を備える、
Ｃ１６に記載の装置。
［Ｃ２３］
前記候補ＵＥとの任意の既存のアクセスリンクに関連付けられた情報は、前記候補ＵＥがサポートすることができるアクセスリンクの総数と、前記候補ＵＥによって現在サポートされているアクセスリンクの数とを備える、
Ｃ１６に記載の装置。
［Ｃ２４］
前記候補ＵＥとの任意の既存のアクセスリンクに関連付けられた前記情報は、前記候補ＵＥがさらなるアクセスリンクをサポートすることができるかどうかを示す値を備える、
Ｃ１６に記載の装置。
［Ｃ２５］
前記候補ＵＥが前記リレーリンクをサポートすることができるかどうかを決定するために評価を行うよう前記候補ＵＥに促すメッセージを送信するための手段をさらに備える、
Ｃ１６に記載の装置。
［Ｃ２６］
前記候補ＵＥが前記リレーリンクをサポートすることができることを示すインジケーションを前記候補ＵＥから受信するための手段をさらに備える、
Ｃ２５に記載の装置。
［Ｃ２７］
前記ＵＥが前記リレーリンクをサポートすることができるかどうかを決定するために評価を行うよう前記ＵＥに促すメッセージを前記候補ＵＥから受信するための手段をさらに備える、
Ｃ１６に記載の装置。
［Ｃ２８］
既存のアクセスリンクは、前記ＵＥまたは前記候補ＵＥの前記閾値近接内にある第３のＵＥと第４のＵＥとの間に存在し、前記ＵＥまたは前記候補ＵＥの前記閾値近接内にある前記既存のアクセスリンクに関連付けられた前記情報は、
前記第３のＵＥおよび前記第４のＵＥの前記閾値近接内にある許可されることができる追加のアクセスリンクの数を示す値、または
前記第３のＵＥおよび前記第４のＵＥの前記閾値近接内にあるさらなるアクセスリンクがサポートされることができるかどうかを示す値
のうちの少なくとも１つをさらに備える、
Ｃ１６に記載の装置。
［Ｃ２９］
前記ＵＥはエッジＵＥであり、前記候補ＵＥはリレーＵＥであり、前記エッジＵＥは、前記リレーＵＥを通じてｅノードＢからサービスを受信する、
Ｃ１６に記載の装置。
［Ｃ３０］
前記ＵＥはリレーＵＥであり、前記候補ＵＥはエッジＵＥであり、前記エッジＵＥは、前記リレーＵＥを通じてｅノードＢからサービスを受信する、
Ｃ１６に記載の装置。
［Ｃ３１］
通信のための装置であって、
処理システムを備え、前記処理システムは、
候補ユーザ機器（ＵＥ）との任意の既存のアクセスリンクに関連付けられた情報、ＵＥまたは前記候補ＵＥの閾値近接内にある任意の既存のアクセスリンクに関連付けられた情報、あるいはその他のＵＥ アップリンク（ＵＬ）干渉のうちの少なくとも１つに基づいて、前記ＵＥが前記候補ＵＥとリレーリンクを確立することができると決定することと、
前記候補ＵＥのための既存のアクセスリンクに関連付けられた情報に基づいて、前記候補ＵＥが前記リレーリンクをサポートすることができると決定することと、
前記決定に基づいて、前記候補ＵＥとの前記リレーリンクのためのリンク確立プロセスを行うことと
を行うように構成される、装置。
［Ｃ３２］
前記処理システムは、
１つまたは複数の候補ＵＥのリストをｅノードＢから受信することを行うようにさらに構成される、
Ｃ３１に記載の装置。
［Ｃ３３］
前記処理システムは、
１つまたは複数の候補ＵＥを検出するために測定を行うことを行うようにさらに構成される、
Ｃ３１に記載の装置。
［Ｃ３４］
前記リレーリンクは、ＵＬリレーリンク、ダウンリンク（ＤＬ）リレーリンク、またはＵＬおよびＤＬリレーリンク、のうちの少なくとも１つを備える、
Ｃ３１に記載の装置。
［Ｃ３５］
前記ＵＥとの任意の既存のアクセスリンクに関連付けられた前記情報は、前記ＵＥがサポートすることができるアクセスリンクの総数と、前記ＵＥによって現在サポートされているアクセスリンクの数とを備える、
Ｃ３１に記載の装置。
［Ｃ３６］
前記処理システムは、
前記ＵＥがサポートすることができるアクセスリンクの前記総数と、前記ＵＥによって現在サポートされているアクセスリンクの前記数とをブロードキャストすること
を行うようにさらに構成される、
Ｃ３５に記載の装置。
［Ｃ３７］
前記他のＵＥ ＵＬ干渉は、平均受信干渉電力値を備える、
Ｃ３１に記載の装置。
［Ｃ３８］
前記候補ＵＥとの任意の既存のアクセスリンクに関連付けられた情報は、前記候補ＵＥがサポートすることができるアクセスリンクの総数と、前記候補ＵＥによって現在サポートされているアクセスリンクの数とを備える、
Ｃ３１に記載の装置。
［Ｃ３９］
前記候補ＵＥとの任意の既存のアクセスリンクに関連付けられた前記情報は、前記候補ＵＥがさらなるアクセスリンクをサポートすることができるかどうかを示す値を備える、
Ｃ３１に記載の装置。
［Ｃ４０］
前記処理システムは、
前記候補ＵＥが前記リレーリンクをサポートすることができるかどうかを決定するために評価を行うよう前記候補ＵＥに促すメッセージを送信することを行うようにさらに構成される、
Ｃ３１に記載の装置。
［Ｃ４１］
前記処理システムは、
前記候補ＵＥが前記リレーリンクをサポートすることができることを示すインジケーションを前記候補ＵＥから受信することを行うようにさらに構成される、
Ｃ４０に記載の装置。
［Ｃ４２］
前記処理システムは、
前記ＵＥが前記リレーリンクをサポートすることができるかどうかを決定するために評価を行うよう前記ＵＥに促すメッセージを前記候補ＵＥから受信することを行うようにさらに構成される、
Ｃ３１に記載の装置。
［Ｃ４３］
既存のアクセスリンクは、前記ＵＥまたは前記候補ＵＥの前記閾値近接内にある第３のＵＥと第４のＵＥとの間に存在し、前記ＵＥまたは前記候補ＵＥの前記閾値近接内にある前記既存のアクセスリンクに関連付けられた前記情報は、
前記第３のＵＥおよび前記第４のＵＥの前記閾値近接内にある許可されることができる追加のアクセスリンクの数を示す値、または
前記第３のＵＥおよび前記第４のＵＥの前記閾値近接内にあるさらなるアクセスリンクがサポートされることができるかどうかを示す値
のうちの少なくとも１つをさらに備える、
Ｃ３１に記載の装置。
［Ｃ４４］
前記ＵＥはエッジＵＥであり、前記候補ＵＥはリレーＵＥであり、前記エッジＵＥは、前記リレーＵＥを通じてｅノードＢからサービスを受信する、
Ｃ３１に記載の装置。
［Ｃ４５］
前記ＵＥはリレーＵＥであり、前記候補ＵＥはエッジＵＥであり、前記エッジＵＥは、前記リレーＵＥを通じてｅノードＢからサービスを受信する、
Ｃ３１に記載の装置。
［Ｃ４６］
コンピュータ可読媒体を備えたコンピュータプログラム製品であって、
前記コンピュータ可読媒体は、
候補ユーザ機器（ＵＥ）との任意の既存のアクセスリンクに関連付けられた情報、ＵＥまたは前記候補ＵＥの閾値近接内にある任意の既存のアクセスリンクに関連付けられた情報、あるいはその他のＵＥ アップリンク（ＵＬ）干渉のうちの少なくとも１つに基づいて、前記ＵＥが前記候補ＵＥとリレーリンクを確立することができると決定することと、
前記候補ＵＥのための既存のアクセスリンクに関連付けられた情報に基づいて、前記候補ＵＥが前記リレーリンクをサポートすることができると決定することと、
前記決定に基づいて、前記候補ＵＥとの前記リレーリンクのためのリンク確立プロセスを行うことと
を行うためのコードを備える、
コンピュータプログラム製品。
［Ｃ４７］
１つまたは複数の候補ＵＥのリストをｅノードＢから受信することを行うためのコードをさらに備える、
Ｃ４６に記載のコンピュータプログラム製品。
［Ｃ４８］
１つまたは複数の候補ＵＥを検出するために測定を行うことを行うためのコードをさらに備える、
Ｃ４６に記載のコンピュータプログラム製品。
［Ｃ４９］
前記リレーリンクは、ＵＬリレーリンク、ダウンリンク（ＤＬ）リレーリンク、またはＵＬおよびＤＬリレーリンク、のうちの少なくとも１つを備える、
Ｃ４６に記載のコンピュータプログラム製品。
［Ｃ５０］
前記ＵＥとの任意の既存のアクセスリンクに関連付けられた前記情報は、前記ＵＥがサポートすることができるアクセスリンクの総数と、前記ＵＥによって現在サポートされているアクセスリンクの数とを備える、
Ｃ４６に記載のコンピュータプログラム製品。
［Ｃ５１］
前記ＵＥがサポートすることができるアクセスリンクの前記総数と、前記ＵＥによって現在サポートされているアクセスリンクの前記数とをブロードキャストすることを行うためのコードをさらに備える、
Ｃ５０に記載のコンピュータプログラム製品。
［Ｃ５２］
前記他のＵＥ ＵＬ干渉は、平均受信干渉電力値を備える、
Ｃ４６に記載のコンピュータプログラム製品。
［Ｃ５３］
前記候補ＵＥとの既存のアクセスリンクに関連付けられた情報は、前記候補ＵＥがサポートすることができるアクセスリンクの総数と、前記候補ＵＥによって現在サポートされているアクセスリンクの数とを備える、
Ｃ４６に記載のコンピュータプログラム製品。
［Ｃ５４］
前記候補ＵＥとの任意の既存のアクセスリンクに関連付けられた前記情報は、前記候補ＵＥがさらなるアクセスリンクをサポートすることができるかどうかを示す値を備える、
Ｃ４６に記載のコンピュータプログラム製品。
［Ｃ５５］
前記候補ＵＥが前記リレーリンクをサポートすることができるかどうかを決定するために評価を行うよう前記候補ＵＥに促すメッセージを送信することを行うためのコードをさらに備える、
Ｃ４６に記載のコンピュータプログラム製品。
［Ｃ５６］
前記候補ＵＥが前記リレーリンクをサポートすることができることを示すインジケーションを前記候補ＵＥから受信することを行うためのコードをさらに備える、
Ｃ５５に記載のコンピュータプログラム製品。
［Ｃ５７］
前記ＵＥが前記リレーリンクをサポートすることができるかどうかを決定するために評価を行うよう前記ＵＥに促すメッセージを前記候補ＵＥから受信することを行うためのコードをさらに備える、
Ｃ４６に記載のコンピュータプログラム製品。
［Ｃ５８］
既存のアクセスリンクは、前記ＵＥまたは前記候補ＵＥの前記閾値近接内にある第３のＵＥと第４のＵＥとの間に存在し、前記ＵＥまたは前記候補ＵＥの前記閾値近接内にある前記既存のアクセスリンクに関連付けられた前記情報は、
前記第３のＵＥおよび前記第４のＵＥの前記閾値近接内にある許可されることができる追加のアクセスリンクの数を示す値、または
前記第３のＵＥおよび前記第４のＵＥの前記閾値近接内にあるさらなるアクセスリンクがサポートされることができるかどうかを示す値
のうちの少なくとも１つをさらに備える、
Ｃ４６に記載のコンピュータプログラム製品。
［Ｃ５９］
前記ＵＥはエッジＵＥであり、前記候補ＵＥはリレーＵＥであり、前記エッジＵＥは、前記リレーＵＥを通じてｅノードＢからサービスを受信する、
Ｃ４６に記載のコンピュータプログラム製品。
［Ｃ６０］
前記ＵＥはリレーＵＥであり、前記候補ＵＥはエッジＵＥであり、前記エッジＵＥは、前記リレーＵＥを通じてｅノードＢからサービスを受信する、
Ｃ４６に記載のコンピュータプログラム製品。
【図１】
0006509819.tif 000002
【図２】
0006509819.tif 000003
【図３】
0006509819.tif 000004
【図４】
0006509819.tif 000005
【図５】
0006509819.tif 000006
【図６】
0006509819.tif 000007
【図７】
0006509819.tif 000008
【図８】
0006509819.tif 000009
【図９】
0006509819.tif 000010
【図１０】
0006509819.tif 000011